(57)【特許請求の範囲】
【請求項１】
発券端末（１）と、
充電状況の情報を蓄積する充電管理サーバ（５）と、
車両のバッテリに充電するための複数個の充電器（４ａ〜４ｄ）の１個に１つずつ備えられた複数個の読取端末（３ａ〜３ｄ）と、
複数個の充電器識別コードの使用状態を記憶する配布サーバ（２）と、を備え、
前記発券端末は、発券情報要求を前記配布サーバに送信し、
前記配布サーバは、前記発券端末から前記発券情報要求を受信したことに基づいて、前記複数個の充電器識別コードのうちから使用状態が不使用となっている第１充電器識別コード（ＩＤ）を選んで、前記第１充電器識別コードを含む発券情報を前記発券端末に送信すると共に前記第１充電器識別コードの使用状態を使用中とし、
前記発券端末は、前記配布サーバから受信した前記発券情報に含まれる前記第１充電器識別コードが表されたチケット（８）を発行し、
前記複数個の充電器のうち第１充電器（４ａ）をユーザが使用しようとする場合、前記複数個の読取端末のうち前記第１充電器に対応する第１読取端末（３ａ）は、前記チケットから前記第１充電器識別コードを読み取り、読み取った前記第１充電器識別コードと前記第１充電器による充電状況の情報を前記充電管理サーバに送信し、
前記充電管理サーバは、前記第１読取端末から送信された前記第１充電器識別コードと前記第１充電器による充電状況の情報とを互いに関連付けて充電管理データベース（５２）に記録し、
ユーザが携帯する携帯端末（６）が前記チケットに表された前記第１充電器識別コードを含む閲覧要求を前記充電管理サーバに送信すると、前記充電管理サーバは、受信した前記閲覧要求に含まれる前記第１充電器識別コードに関連付けられた、前記第１充電器による充電状況の情報を前記充電管理データベースから読み出し、読み出した前記充電状況の情報を前記携帯端末に届くよう送信し、
前記第１読取端末は、前記第１充電器による充電が終了したことに基づいて、前記第１充電器識別コードの使用終了通知を前記配布サーバおよび前記充電管理サーバに送信し、
前記配布サーバは、前記使用終了通知を前記第１読取端末から受信したことに基づいて、前記第１充電器識別コードの使用状態を不使用とし、
前記充電管理サーバは、前記使用終了通知を前記第１読取端末から受信したことに基づいて、前記充電管理データベースから、前記第１充電器識別コードおよび前記第１充電器識別コードに関連付けられた前記第１充電器による充電状況の情報を消去することを特徴とする充電管理システム。
【請求項２】
前記配布サーバは、前記発券端末から前記発券情報要求を受信したことに基づいて、前記第１充電器識別コードを選ぶと共に、認証コードを生成して記憶し、前記第１充電器識別コードと前記認証コードを含む発券情報を前記発券端末に送信し、
前記発券端末は、発行する前記チケットとして、前記配布サーバから受信した前記発券情報に含まれる前記第１充電器識別コードと前記認証コードとが表されたチケットを発行し、
前記複数個の充電器のうち前記第１充電器を前記ユーザが使用しようとする場合、前記第１読取端末は、前記チケットから前記第１充電器識別コードと前記認証コードを読み取り、読み取った前記認証コードを含む認証依頼を前記配布サーバに送信し、
前記配布サーバは、前記第１読取端末から受信した前記認証依頼に含まれる前記認証コードに基づいた認証処理を行い、認証結果を前記第１読取端末に送信し、
前記第１読取端末は、前記配布サーバから受信した前記認証結果に基づいて認証が成功したか否かを判定し、認証が成功した場合は、前記第１充電器による充電を許可することを特徴とする請求項１に記載の充電管理システム。
【請求項３】
前記発券端末は、発行する前記チケットとして、前記配布サーバから受信した前記発券情報に含まれる前記第１充電器識別コードと前記認証コードとが２次元コード（８１）で表されたチケットを発行し、
前記２次元コードのうち、読み取るためにパスワードが必要な非公開部（８２）に前記認証コードが含まれ、読み取るためにパスワードが不要な公開部（８３）に前記第１充電器識別コードが含まれており、
前記複数個の読取端末の各々は、前記パスワードを記憶しており、
前記複数個の充電器のうち前記第１充電器を前記ユーザが使用しようとする場合、前記第１読取端末は、前記チケットから前記第１充電器識別コードを読み取ると共に、前記チケットから前記パスワードを用いて前記認証コードを読み取ることを特徴とする請求項２に記載の充電管理システム。
【請求項４】
前記発券端末は、発行する前記チケットとして、前記第１充電器識別コードと前記充電管理サーバのアドレス（ＵＲＬ）とが表されたチケットを発行し、
前記携帯端末は、前記チケットから前記第１充電器識別コードおよび前記アドレスを読み取り、読み取った前記アドレスを宛先として、読み取った前記第１充電器識別コードを含む閲覧要求を送信することを特徴とする請求項１ないし３のいずれか１つに記載の充電管理システム。
【請求項５】
発券端末（１）と、
車両のバッテリに充電するための複数個の充電器（４ａ〜４ｄ）の１個に１つずつ備えられた複数個の読取端末（３ａ〜３ｄ）と、
複数個の充電器識別コードの使用状態を記憶する配布サーバ（２）と、を備え、
前記発券端末は、発券情報要求を前記配布サーバに送信し、
前記配布サーバは、前記発券端末から前記発券情報要求を受信したことに基づいて、前記複数個の充電器識別コードのうちから使用状態が不使用となっている第１充電器識別コード（ＩＤ）を選んで、前記第１充電器識別コードを含む発券情報を前記発券端末に送信すると共に前記第１充電器識別コードの使用状態を使用中とし、
前記発券端末は、前記配布サーバから受信した前記発券情報に含まれる前記第１充電器識別コードが表されたチケット（８）を発行し、
前記複数個の充電器のうち第１充電器（４ａ）をユーザが使用しようとする場合、前記複数個の読取端末のうち前記第１充電器に対応する第１読取端末（３ａ）は、前記チケットから前記第１充電器識別コードを読み取り、読み取った前記第１充電器識別コードと前記第１充電器による充電状況の情報を充電管理サーバ（５）に送信し、
前記第１読取端末は、前記第１充電器による充電が終了したことに基づいて、前記第１充電器識別コードの使用終了通知を前記配布サーバおよび前記充電管理サーバに送信し、
前記配布サーバは、前記使用終了通知を前記第１読取端末から受信したことに基づいて、前記第１充電器識別コードの使用状態を不使用とし、
前記充電管理サーバは、前記使用終了通知を前記第１読取端末から受信したことに基づいて、充電管理データベース（５２）から、前記第１充電器識別コードおよび前記第１充電器識別コードに関連付けられた前記第１充電器による充電状況の情報を消去することを特徴とする充電管理システム。
【発明の詳細な説明】
【技術分野】
【０００１】
本発明は、充電管理システムおよび読取端末に関するものである。
【背景技術】
【０００２】
従来、プラグインハイブリッド車両、電気自動車等の車両の走行用バッテリに充電を行う充電器に、Ｗｅｂサーバを内蔵し、このＷｅｂサーバのアドレス（ＵＲＬ）の情報を２次元コードにして充電器本体にプリントする技術が知られている（非特許文献１参照）。
【０００３】
この技術では、この２次元コードをユーザの携帯端末に読み取らせれば、充電中にユーザが充電器から離れた場所にいるとき、携帯端末から当該Ｗｅｂサーバにアクセスし、充電状況を知ることができる。
【先行技術文献】
【非特許文献】
【０００４】
【非特許文献１】大熊康彦、「電気自動車普通充電用「EVコンセント」の開発」、電気設備学会誌、電気設備学会、２０１１年１２月号、ｐ．９２７−９３０
【発明の概要】
【発明が解決しようとする課題】
【０００５】
しかし、上記のような技術では、充電器毎に別々のアドレスの情報をプリントしなければならないので、充電器の製造工程が複雑になる。
【０００６】
本発明は上記点に鑑み、車両のバッテリに充電を行う充電器の技術において、充電器毎に別々のサーバのアドレスをプリントする必要なく、充電器から離れた場所でユーザが充電状況を知ることができるようにすることを目的とする。
【課題を解決するための手段】
【０００７】
上記目的を達成するための請求項１に記載の発明は、発券端末（１）と、充電状況の情報を蓄積する充電管理サーバ（５）と、車両のバッテリに充電するための複数個の充電器（４ａ〜４ｄ）の１個に１つずつ備えられた複数個の読取端末（３ａ〜３ｄ）と、複数個の充電器識別コードの使用状態を記憶する配布サーバ（２）と、を備え、前記発券端末は、発券情報要求を前記配布サーバに送信し、前記配布サーバは、前記発券端末から前記発券情報要求を受信したことに基づいて、前記複数個の充電器識別コードのうちから使用状態が不使用となっている第１充電器識別コード（ＩＤ）を選んで、前記第１充電器識別コードを含む発券情報を前記発券端末に送信すると共に前記第１充電器識別コードの使用状態を使用中とし、前記発券端末は、前記配布サーバから受信した前記発券情報に含まれる前記第１充電器識別コードが表されたチケット（８）を発行し、前記複数個の充電器のうち第１充電器（４ａ）を前記ユーザが使用しようとする場合、前記複数個の読取端末のうち前記第１充電器に対応する第１読取端末（３ａ）は、前記チケットから前記第１充電器識別コードを読み取り、読み取った前記第１充電器識別コードと前記第１充電器による充電状況の情報を前記充電管理サーバに送信し、前記充電管理サーバは、前記第１読取端末から送信された前記第１充電器識別コードと前記第１充電器による充電状況の情報とを互いに関連付けて充電管理データベース（５２）に記録し、ユーザが携帯する携帯端末（６）が前記チケットに表された前記第１充電器識別コードを含む閲覧要求を前記充電管理サーバに送信すると、前記充電管理サーバは、受信した前記閲覧要求に含まれる前記第１充電器識別コードに関連付けられた、前記第１充電器による充電状況の情報を前記充電管理データベースから読み出し、読み出した前記充電状況の情報を前記携帯端末に届くよう送信し、前記第１読取端末は、前記第１充電器による充電が終了したことに基づいて、前記第１充電器識別コードの使用終了通知を前記配布サーバおよび前記充電管理サーバに送信し、前記配布サーバは、前記使用終了通知を前記第１読取端末から受信したことに基づいて、前記第１充電器識別コードの使用状態を不使用とし、前記充電管理サーバは、前記使用終了通知を前記第１読取端末から受信したことに基づいて、前記充電管理データベースから、前記第１充電器識別コードおよび前記第１充電器識別コードに関連付けられた前記第１充電器による充電状況の情報を消去することを特徴とする充電管理システムである。
【０００８】
これらのように、発券端末は、第１充電器識別コードが表されたチケットを発行し、第１読取端末は、チケットから第１充電器識別コードを読み取り、読み取った第１充電器識別コードと第１充電器による充電状況の情報を充電管理サーバに送信する。そして、携帯端末がチケットに表された第１充電器識別コードを充電管理サーバに送信すると、充電管理サーバは、当該第１充電器識別コードに対応付けられた充電状況の情報を携帯端末に届くよう送信する。
【０００９】
このようにすれば、ユーザが複数の充電器のうちどの充電器を使用しても、発券端末が発行した第１充電器識別コードを携帯端末に読み取らせれば、携帯端末がその第１充電器識別コードを含む閲覧要求を充電管理サーバに送信することで当該充電器の充電状況を取得できる。したがって、充電器毎に別々のサーバのアドレスをプリントする必要なく、充電器から離れた場所でユーザが充電状況を知ることができる。
【００１０】
また、請求項５に記載の発明は、発券端末（１）と、車両のバッテリに充電するための複数個の充電器（４ａ〜４ｄ）の１個に１つずつ備えられた複数個の読取端末（３ａ〜３ｄ）と、複数個の充電器識別コードの使用状態を記憶する配布サーバ（２）と、を備え、前記発券端末は、発券情報要求を前記配布サーバに送信し、前記配布サーバは、前記発券端末から前記発券情報要求を受信したことに基づいて、前記複数個の充電器識別コードのうちから使用状態が不使用となっている第１充電器識別コード（ＩＤ）を選んで、前記第１充電器識別コードを含む発券情報を前記発券端末に送信すると共に前記第１充電器識別コードの使用状態を使用中とし、前記発券端末は、前記配布サーバから受信した前記発券情報に含まれる前記第１充電器識別コードが表されたチケット（８）を発行し、前記複数個の充電器のうち第１充電器（４ａ）をユーザが使用しようとする場合、前記複数個の読取端末のうち前記第１充電器に対応する第１読取端末（３ａ）は、前記チケットから前記第１充電器識別コードを読み取り、読み取った前記第１充電器識別コードと前記第１充電器による充電状況の情報を充電管理サーバ（５）に送信し、前記第１読取端末は、前記第１充電器による充電が終了したことに基づいて、前記第１充電器識別コードの使用終了通知を前記配布サーバおよび前記充電管理サーバに送信し、前記配布サーバは、前記使用終了通知を前記第１読取端末から受信したことに基づいて、前記第１充電器識別コードの使用状態を不使用とし、前記充電管理サーバは、前記使用終了通知を前記第１読取端末から受信したことに基づいて、前記充電管理データベースから、前記第１充電器識別コードおよび前記第１充電器識別コードに関連付けられた前記第１充電器による充電状況の情報を消去することを特徴とする充電管理システムである。
【００１２】
この請求項５に係る発明においても、請求項１に係る発明と同様の効果を得ることができる。
【００１３】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１４】
【図１】本発明の実施形態に係る充電管理システム１００の構成図である。
【図２】チケット８に表された２次元コード８１の構成を示す図である。
【図３】チケットの発券依頼から発券までの作動の流れを示すシーケンス図である。
【図４】識別コードリストを示す図である。
【図５】チケットをかざす行為からから充電中までの作動を示すシーケンス図である。
【図６】充電中における充電状況の通知の作動を示すシーケンス図である。
【図７】充電完了時の作動を示すシーケンス図である。
【発明を実施するための形態】
【００１５】
以下、本発明の一実施形態について説明する。図１に示すように、本実施形態に係る充電管理システム１００は、発券端末１、認証・配布サーバ２、読取端末３ａ〜３ｄ、充電器４ａ〜４ｄ、充電管理サーバ５、携帯端末６を有している。発券端末１、認証・配布サーバ２、読取端末３ａ〜３ｄ、充電管理サーバ５、携帯端末６は、広域通信ネットワーク７（例えばインターネット）を介して無線および有線の一方または両方で、相互に通信可能となっている。
【００１６】
発券端末１は、チケット８を発券する装置である。発券端末１は、コンビニエンスストア等の店舗のレジの付近に設置されている。チケット８は、図２に示すように、２次元コード８１（例えばＱＲコード（登録商標）の一種であるＳＱＲＣ（登録商標））が印刷により表された紙である。
【００１７】
この２次元コード８１には、認証コード（図中ではＡＣと記す）８４、アドレス（図中ではＵＲＬと記す）８５、充電器識別コード（ＩＤ）８６という３つの情報がエンコードされている。
【００１８】
より具体的には、２次元コード８１には、読み取るために特定のパスワードが必要な非公開部８２と、読み取るためにパスワードが不要な公開部８３とが設定されており、非公開部８２中に認証コード８４が含まれ、公開部８３にアドレス８５および充電器識別コード８６が含まれる。
【００１９】
認証コード８４は、充電器４ａ〜４ｄの使用を許可されるために必要なコードである。アドレス８５は、充電管理サーバ５から充電状況の情報を取得するために必要な充電管理サーバ５のアドレスであり、例えば、認証・配布サーバ２で実行されているＷｅｂサービスにアクセスするためのＵＲＬ（Ｕｎｉｆｏｒｍ  Ｒｅｓｏｕｒｃｅ  Ｌｏｃａｔｏｒ）である。充電器識別コード８６は、使用中の充電器４ａ〜４ｄを識別するための識別コードである。
【００２０】
認証・配布サーバ２は、上述の認証コード８４、充電器識別コード８６を発券端末１に提供し、また、認証コード８４を用いた認証処理を行う装置である。
【００２１】
複数個の読取端末３ａ〜３ｄは、複数個の充電器４ａ〜４ｄの１個に１つずつ備えられている。読取端末３ａ〜３ｄの各々は、充電器４ａ〜４ｄのうち対応する充電器に内蔵されていてもよいし、対応する充電器から分離して配置されていてもよい。どちらの場合も、読取端末３ａ〜３ｄの各々は、対応する充電器と信号線を介して通信可能となっている。
【００２２】
読取端末３ａ〜３ｄの各々は、上述のチケット８から認証コード８４、充電器識別コード８６の情報を読み取り、読み取った認証コード８４を用いて認証・配布サーバ２に認証をさせることで、充電器４ａ〜４ｄのうち対応する充電器による充電を許可する。また充電器４ａ〜４ｄの各々は、読み取った充電器識別コード８６と共に当該対応する充電器の充電状況の情報を充電管理サーバ５に送信する。
【００２３】
充電器４ａ〜４ｄは、車両９の走行用バッテリに充電を行う装置である。車両９は、電気モータが発生した駆動力を走行動力源として走行する車両（例えば、プラグインハイブリッド車両、電気自動車）であり、走行用バッテリは、当該電気モータの動力源となる二次電池である。
【００２４】
充電管理サーバ５は、読取端末３ａ〜３ｄのそれぞれから充電状況および充電器識別コード８６の情報を受信して蓄積する装置である。
【００２５】
携帯端末６は、ユーザが携帯する端末（例えば、携帯電話機、タブレット端末）である。この携帯端末６は、チケット８からアドレス８５および充電器識別コード８６を読み取り、読み取ったアドレス８５を用いて充電管理サーバ５にアクセスし、充電器識別コード８６を用いて当該充電管理サーバ５からユーザの車両９の充電状況の情報を受信して表示する。
【００２６】
この充電管理システム１００の作動の概要は、以下の通りである。まず、ユーザは発券端末１のある売場で、車両９の充電のため、現金を支払ってチケット８の発券を依頼する。この依頼に従って店員が発券端末１を操作すると、発券端末１は、認証・配布サーバ２に発券情報要求を送信する。すると認証・配布サーバ２は、認証コード８４と充電器識別コード８６を含む発券情報を発券情報を生成し発券端末１に送信する。
【００２７】
すると、発券端末１は、認証コード８４、アドレス８５、充電器識別コード８６の情報が表された２次元コード８１をチケット８に印刷してチケット８を発行する。ユーザは、現金と引き換えにこのチケット８を入手する。
【００２８】
ユーザは、車両を駐車させた位置で充電可能な充電器に対応した読取端末３ａ〜３ｄから自由に選んだ１つ（ここでは読取端末３ａ）にチケット８を読み取らせる。読取端末３ａ（第１読取端末の一例に相当する）は、チケット８から読み取った認証コード８４を認証・配布サーバ２に送信して認証を依頼する。認証・配布サーバ２でその認証が成功すると、読取端末３ａは、読み取った充電器識別コード８６を記憶し、対応する充電器４ａ（第１充電器の一例に相当する）の充電ガン４２のロックを解除させる。そして、ユーザは、当該充電ガン４２を自分の車両９の充電口に差し込み、充電器４ａのスタートボタンを押すなどして充電を開始する。
【００２９】
充電が行われている間、充電器４ａは、車両９の充電状況（具体的には充電量等）を測定し、記憶している充電器識別コード８６と当該充電量（すなわち充電状況）の組み合わせを充電管理サーバ５へ送信し、充電管理サーバ５はこの情報を受信して記録する。この情報は繰り返し定期的に読取端末３ａから充電管理サーバ５へ送信され、充電管理サーバ５で逐次更新される。
【００３０】
ユーザは、読取端末３ａ、充電器４ａから離れた位置において車両９への充電量を確認したい時、携帯端末６にチケット８を読み取らせる。チケット８からアドレス８５と充電器識別コード８６を読み取った携帯端末６は、読み取ったアドレス８５を用いて充電管理サーバ５にアクセスし、充電器識別コード８６に関連付けられた充電量を充電管理サーバ５から取得し、ユーザに表示する。
【００３１】
充電が完了すると、ユーザが充電器４ａおよび車両９のある場所に戻り、車両９から充電ガン４２を取り外して充電器４ａに戻す。充電器４ａがこれをセンシングしたタイミングで、読取端末３ａは充電ガン４２をロックすると共に、充電器識別コード８６の使用終了を認証・配布サーバ２と充電管理サーバ５に通知する。またその直後、読取端末３ａは、記憶していた充電器識別コード８６を消去する。また、使用終了の通知を受けた充電管理サーバ５は、この充電器識別コード８６と対応する充電量値を削除する。また、認証・配布サーバ２では、使用終了が通知された識別コードを、後に再使用する。すなわち、新たに発券端末１から発券情報要求があった場合は、同じ充電器識別コード８６を発券端末１に送信する場合がある。このように再利用することで、認証・配布サーバ２で用意する充電器識別コードの数を節約することができ、ひいては、認証・配布サーバ２のメモリ容量を低減することができる。
【００３２】
ここで、充電管理システム１００の各要素１〜６の構成について、更に詳しく説明する。発券端末１は、操作部１１、通信部１２、発行部１３、メモリ１４、発券制御部１５を有している。
【００３３】
操作部１１は、発券端末１の操作者である店員の操作を受けつける部材である。通信部１２は、広域通信ネットワーク７を介して充電管理システム１００の他の要素と通信を行うための通信インターフェースである。発行部１３は、チケット８に２次元コード８１を印刷して発券端末１の外部に排出する装置である。
【００３４】
メモリ１４は、充電管理サーバ５のアドレス８５およびパスワード（図中ではＰＷと記す）８７があらかじめ記録されている記憶媒体である。パスワード８７は、発行するチケット８に表される２次元コード８１の非公開部８２に情報を格納するために使用されるものである。なお、発券端末１は発券操作がある度にチケット８を発行するので、多数枚のチケット８を発行することになるが、その際に公開部８２に情報を格納するために用いるパスワード８７は、常に同じである。
【００３５】
発券制御部１５は、ＣＰＵ、ＲＡＭ、ＲＯＭ、Ｉ／Ｏ等を備えた周知のマイクロコンピュータである。以下で説明する発券制御部１５の作動のすべては、当該ＣＰＵが当該ＲＯＭからプログラムを読み出して当該ＲＡＭを作業領域として実行し、そのプログラムの実行中に当該Ｉ／Ｏを介して上述の要素１１〜１４と信号をやり取りすることで、実現する。
【００３６】
認証・配布サーバ２は、通信部２１、認証ＤＢ２２、認証・配布制御部２３を有している。通信部１２は、広域通信ネットワーク７を介して充電管理システム１００の他の要素と通信を行うための通信インターフェースである。認証ＤＢ２２は、上述の認証コードおよび充電器識別コードの情報が記録される記憶媒体である。
【００３７】
認証・配布制御部２３は、ＣＰＵ、ＲＡＭ、ＲＯＭ、Ｉ／Ｏ等を備えた周知のコンピュータである。以下で説明する認証・配布制御部２３の作動のすべては、当該ＣＰＵが当該ＲＯＭからプログラムを読み出して当該ＲＡＭを作業領域として実行し、そのプログラムの実行中に当該Ｉ／Ｏを介して上述の要素２１、２２と信号をやり取りすることで、実現する。
【００３８】
読取端末３ａ〜３ｄの各々は、読取部３１、メモリ３２、通信部３３、読取制御部３４を有している。読取部３１は、チケット８から２次元コード８１を読み取る装置（例えばカメラ）である。通信部３３は、広域通信ネットワーク７を介して充電管理システム１００の他の要素と通信を行うための通信インターフェースである。
【００３９】
メモリ３２は、充電器識別コード８６およびパスワード８７を記録するための記憶媒体である。メモリ３２には、チケット８から読み取られた２次元コード８１に含まれる充電器識別コード８６が記録されるようになっており、また、あらかじめパスワード８７が記録されている。パスワード８７は、チケット８から読み取られた２次元コード８１から非公開部８２中の認証コード８４を読み取るために用いられる。
【００４０】
読取制御部３４は、ＣＰＵ、ＲＡＭ、ＲＯＭ、Ｉ／Ｏ等を備えた周知のコンピュータである。以下で説明する読取制御部３４の作動のすべては、当該ＣＰＵが当該ＲＯＭからプログラムを読み出して当該ＲＡＭを作業領域として実行し、そのプログラムの実行中に当該Ｉ／Ｏを介して上述の要素３１〜３３および対応する充電器と信号をやり取りすることで、実現する。
【００４１】
充電器４ａ〜４ｄの各々は、図示しない商用電力源から電力を用いて車両９に充電を行う装置であり、充電ケーブル４１、充電ガン４２、ロック機構４３、収納センサ４４を有している。充電ケーブル４１は、車両９に電力を伝える電力線およびそれを覆う被覆である。充電ガン４２は、充電ケーブル４１の車両９側の先端に接続され、車両９の図示しない充電口に嵌合することで、車両９の図示しない走行用バッテリと充電ケーブル４１の電力線を電気的に接続する。
【００４２】
ロック機構４３は、充電ガン４２を収納するための可動部材であり、充電ガン４２が収納されている状態でロック機構４３がロックされると充電ガン４２が取り外し不可能になり、ロック機構４３のロックが解錠されると充電ガン４２が取り外し可能となる。収納センサは、充電ガン４２が収納されているかいないかを検知するセンサである。
【００４３】
充電管理サーバ５は、通信部５１、充電管理ＤＢ、充電管理制御部５３を有している。通信部５１は、広域通信ネットワーク７を介して充電管理システム１００の他の要素と通信を行うための通信インターフェースである。充電管理ＤＢ５２は、充電器４ａ〜４ｄにおける車両への充電量の情報を記録するための記憶媒体である。
【００４４】
充電管理制御部５３は、ＣＰＵ、ＲＡＭ、ＲＯＭ、Ｉ／Ｏ等を備えた周知のコンピュータである。以下で説明する充電管理制御部５３の作動のすべては、当該ＣＰＵが当該ＲＯＭからプログラムを読み出して当該ＲＡＭを作業領域として実行し、そのプログラムの実行中に当該Ｉ／Ｏを介して上述の要素５１、５２と信号をやり取りすることで、実現する。
【００４５】
携帯端末６は、通信部６１、表示部６２、読取部６３、携帯制御部６４を有している。通信部６１は、通信部６１は、広域通信ネットワーク７を介して充電管理システム１００の他の要素と通信を行うための通信インターフェースである。表示部６２は、携帯端末６を携帯するユーザに情報を表示させるための装置であり、画像表示装置（例えば液晶ディスプレイ）および音声出力装置を有している。読取部６３は、読取部３１は、チケット８から２次元コード８１を読み取る装置（例えばカメラ）である。
【００４６】
携帯制御部６４は、ＣＰＵ、ＲＡＭ、ＲＯＭ、Ｉ／Ｏ等を備えた周知のコンピュータである。以下で説明する携帯制御部６４の作動のすべては、当該ＣＰＵが当該ＲＯＭからプログラムを読み出して当該ＲＡＭを作業領域として実行し、そのプログラムの実行中に当該Ｉ／Ｏを介して上述の要素６１〜６３と信号をやり取りすることで、実現する。
【００４７】
以下、上記のような構成の充電管理システム１００の作動について、図３〜図６を用いて詳細に説明する。
【００４８】
［チケットの発券依頼から発券まで］
まず、自分の車両９に対して充電を行いたいユーザは、発券端末１のある売場で、車両９の充電のため、店員に現金を支払ってチケット８の発券を依頼する（図３のステップ１１０）。この依頼に従って店員が発券端末１の操作部１１に対して発券操作を行う（ステップ１２０）。
【００４９】
この発券操作が行われると、発券端末１の発券制御部１５は、通信部１２を用いて、認証・配布サーバ２に所定の発券情報要求を送信する（ステップ１３０）。認証・配布サーバ２では、認証・配布制御部２３が、通信部２１を介して、この発券情報要求を受信する。
【００５０】
この発券情報要求を受信した、認証・配布制御部２３は、まず、認証ＤＢ２２に記録されている複数個の異なる充電器識別コードのうちから、使用状態が不使用となっている充電器識別コード８６（第１充電器識別コードの一例に相当する）を１つ選び出す（ステップ１４０）。
【００５１】
ここで、認証ＤＢ２２に記録されている複数個の異なる充電器識別コードについて説明する。認証ＤＢ２２には、図４に示すような識別コードリストが記録されている。識別コードリストには、複数個の異なる充電器識別コードが、あらかじめ記録されている。また、識別コードリストには、それら複数個の異なる充電器識別コードの各々についての使用状態（使用中か不使用か）が、記録されるようになっている。認証・配布サーバ２の使用開始時には、識別コードリスト中のすべての充電器識別コードについて、使用状態は「不使用」になっている。
【００５２】
認証・配布制御部２３は、ステップ１４０では、識別コードリスト中のすべての充電器識別コードのうち、使用状態が「不使用」となっている充電器識別コードを、１つ選び出す。例えば、図４の例では、第１充電器識別コード、第３充電器識別コード、第４充電器識別コードが不使用になっているが、そのうち、最も上位にある第１充電器識別コード８６を選び出す。
【００５３】
続いて認証・配布制御部２３は、１つの認証コード８４（例えば、ランダムに生成した２０文字の文字列）を生成して、上記のように選び出した充電器識別コード８６に関連付けて、認証ＤＢ２２に記録する（ステップ１５０）。
【００５４】
続いて認証・配布制御部２３は、識別コードリストにおいて、ステップ１４０で選び出した充電器識別コード８６の使用状態を「使用中」に変更する（ステップ１６０）。続いて認証・配布制御部２３は、ステップ１４０で選び出した充電器識別コード８６とステップ１５０で生成した認証コード８４を含む発券情報を、通信部２１を用いて、発券端末１に送信する（ステップ１７０）。
【００５５】
発券端末１では、発券制御部１５が、通信部１２を介してこの発券情報を受信する。すると発券制御部１５は、メモリ１４から充電管理サーバ５のアドレス８５を読み出す。そして、当該アドレス８５と、受信した当該発券情報に含まれる充電器識別コード８６および認証コード８４に基づいて、１個の２次元コード８１を生成する（ステップ１８０）。
【００５６】
より具体的には、認証コード８４については、メモリ１４中に記録されているパスワード８７で暗号化する。そして、暗号化されていないアドレス８５および充電器識別コード８６と、暗号化された認証コード８４を情報として含むよう、２次元コード８１を生成する。これにより、生成された１個の２次元コード８１において、認証コード８４が非公開部８２に格納され、アドレス８５および充電器識別コード８６が公開部８３に格納されたことになる。
【００５７】
なお、認証コード８４を暗号化して非公開部８２に格納する目的は、認証コードの生成規則および形式 （文字数、使用文字種等）を非公開にすることで、認証コードの偽造を防止することである。
【００５８】
続いて発券制御部１５は、２次元コード８１が表されたチケット８を発行する（ステップ１９０）。具体的には、発行部１３を制御して、ステップ１８０で生成した２次元コード８１をチケット８に印刷して発券端末１外に排出する。店員は、このように発行されたチケット８を、ユーザに手渡しする（ステップ１９５）。このように、ユーザは、現金と引き換えにチケット８を入手することができる。
【００５９】
［読取端末の選択から充電開始まで］
次に、ユーザは、認証・配布サーバ２および充電管理サーバ５の管理下にあって車両を駐車させた位置で充電可能な充電器に対応した読取端末３ａ〜３ｄから１つを選ぶ。入手されたチケット８の内容に関わらず、読取端末３ａ〜３ｄのうちどれが選択されても、その後の充電管理システム１００の作動は、充電を行う充電器と充電状況を送信する充電器が異なる以外は、同じになる。したがって、ユーザは、読取端末３ａ〜３ｄのうち１つを自由に選択することができる。ここでは、読取端末３ａ（第１読取端末の一例に相当する）を選択したとする。読取端末３ａを選択したということは、充電器４ａ〜４ｄのうち読取端末３ａに対応する充電器４ａ（第１充電器の一例に相当する）の使用をユーザが選択したということである。
【００６０】
以下、読取部３１、メモリ３２、通信部３３、読取制御部３４は、別段の明記がない限り、読取端末３ａの読取部３１、メモリ３２、通信部３３、読取制御部３４を指すものとする。
【００６１】
ユーザは、選択した読取端末３ａの読取部３１にチケット８の２次元コード８１をかざす（図５のステップ２０５）。すると、読取部３１は、２次元コード８１を読みとり、読み取った２次元コード８１の画像情報を読取制御部３４に出力する。そして読取制御部３４は、当該２次元コード８１の画像情報から、認証コード８４、アドレス８５、充電器識別コード８６をデコードする。
【００６２】
このとき、公開部８３に格納されているアドレス８５および充電器識別コード８６はパスワード不要でデコードできる。また、非公開部８２に格納されている認証コード８４については、メモリ３２にあらかじめ記録されているパスワード８７を用いることでデコードする。読取制御部３４は、メモリ３２に記録されたパスワード８７を用いることにより、初めて認証コード８４をデコードできる。このパスワード８７は、発券端末１を除けば読取端末３ａ〜３ｄにしか記録されていないので、他の二次元コード読取器（例えば携帯端末６）では認証コード８４をデコードできない。
【００６３】
続いて読取制御部３４は、デコードして取得した認証コード８４を含む認証依頼を、通信部３３を用いて認証・配布サーバ２に送信する（ステップ２１５）。認証・配布サーバ２では、認証・配布制御部２３が、通信部２１を介してこの認証依頼を受信し、受信したことに基づいて、当該認証依頼に含まれる認証コード８４に基づいた認証処理を行う（ステップ２２０）。具体的には、当該認証コード８４が認証ＤＢ２２に含まれていれば、認証成功であると判定し、含まれていなければ、認証失敗であると判定する。
【００６４】
続いて認証・配布制御部２３は、ステップ２２０の認証結果（認証成功か認証失敗か）の情報を、通信部２１を用いて、認証依頼の送信元である読取端末３ａに送信する（ステップ２２５）。
【００６５】
読取端末３ａでは、読取制御部３４が通信部３３を介してこの認証結果を受信し、当該認証結果に基づいて認証が成功したか否かを判定する（ステップ２３０）。認証が失敗したと判定した場合は、図示しない通知装置（例えばスピーカ、画像表示装置）を用いて、充電不可である旨をユーザに通知する（ステップ２３５）。充電不可である旨がユーザに通知された場合は、その後、充電ガン４２のロックが解除されず、充電も開始されない。本事例では、認証が成功したと判定されるものとする。
【００６６】
読取制御部３４は、ステップ２３０で認証が成功したと判定した場合は、続いて、充電器４ａのロック機構４３を制御して、充電ガン４２のロックを解除することで、充電器４ａによる充電を許可する（ステップ２４０）。
【００６７】
読取制御部３４は、続いて、ステップ２１０でデコードして取得した充電器識別コード８６をメモリ３２に記録する（ステップ２４５）。なお、認証コード８４については、メモリ３２に記録することなく読取端末３ａ内から消去する。
【００６８】
続いて読取制御部３４は、図示しない通知装置（例えばスピーカ、画像表示装置）を用いて、充電開始可能である旨をユーザに通知する（ステップ２５０）。この通知を受けたユーザは、ロックが解除された充電ガン４２を取り出して自分の車両９の充電口に差し込み、充電器４ａの図示しないスタートボタンを押す等の開始操作を行う。これにより、充電器４ａから車両９の走行用バッテリへの充電ケーブル４１を介した充電が開始される（ステップ２５３）。
【００６９】
［充電中の充電管理サーバへの情報送信］
充電器４ａから車両９に充電が行われている間、充電器４ａは、定期的に（例えば１秒に１回）、充電状況を検出し、検出した充電状況の情報を読取制御部３４に通知する。ここで、検出する充電状況は、充電器４ａから車両９への充電開始以降の総充電量でもよいし、車両９の残電量（ＳＯＣ）でもよし、充電トラブルの有無でもよいし、発生した充電トラブルの詳細等でもよい。
【００７０】
また、読取制御部３４は、ステップ２５０の後、充電器４ａから充電状況の情報を受けている間、繰り返し定期的に（例えば１分に１回）、通信部３３を用いて、充電管理サーバ５に送信を行う（ステップ２５５）。このとき送信するのは、その時点の最新の充電状況の情報と、メモリ３２に記録されている充電器識別コード８６との組である。なお、読取端末３ａは、充電管理サーバ５のアドレスについては、読取端末３ａの設置時にあらかじめメモリ３２に記録されている充電管理サーバ５のアドレスに基づいて特定してもよいし、チケット８から読み出したアドレス８５に基づいて特定してもよい。
【００７１】
充電管理サーバ５では、充電管理制御部５３が、通信部５１を介してこの最新の充電状況情報と充電器識別コード８６を受信し、更に、受信した情報を充電管理ＤＢ５２に反映させる（ステップ２６０）。具体的には、まず、今回受信した情報に含まれる充電器識別コード８６に関連付けられた充電状況情報が、既に充電管理ＤＢ５２中にあれば、当該関連付けられた充電状況情報を消去する。次に、今回受信した情報に含まれる充電器識別コード８６に関連付けて、今回受信した情報に含まれる充電状況情報を、充電管理ＤＢ５２に記録する。このようにすることで、充電管理制御部５３に最新の充電状況情報と充電器識別コード８６が届く度に、充電管理ＤＢ５２において、充電器４ａにおける充電状況が、充電器識別コード８６と関連付けられて、逐次最新のものに更新されていく。
【００７２】
なお、充電管理制御部５３は、充電器４ａに限らず、他の充電器４ｂ〜４ｄから最新の充電状況情報と充電器識別コード（充電器識別コード８６とは異なる充電器識別コード）を受信した場合も、同等の処理を行う。
【００７３】
［充電中の充電管理サーバからの情報提供］
また、充電器４ａから車両９への充電中に、ユーザは、読取端末３ａ、充電器４ａから離れた位置において、車両９への充電量を確認したい時がある。そのような場合、ユーザは、自分が携帯する携帯端末６の読取部６３にチケット８の２次元コード８１をかざす（図６のステップ３１０）。
【００７４】
すると読取部６３は、２次元コード８１を読み取り、読み取った２次元コード８１の画像情報を携帯制御部６４に出力する。そして携帯制御部６４は、当該２次元コード８１の画像情報から、アドレス８５、充電器識別コード８６をデコードする（ステップ３２０）。なお、携帯端末６にはパスワード８７が記録されていないので、認証コード８４をデコードすることはできない。
【００７５】
続いて携帯制御部６４は、デコードして取得したアドレス８５を宛先として、通信部６１を用い、閲覧要求を送信する（ステップ３３０）。この閲覧要求には、デコードして取得した充電器識別コード８６を含む。これにより、充電管理サーバ５に当該閲覧要求が送信される。
【００７６】
充電管理サーバ５では、充電管理制御部５３が通信部５１を介してこの閲覧要求を受信する。そして、受信した閲覧要求に含まれる充電器識別コード８６に関連付けられて充電管理ＤＢ５２に記録されている充電状況の情報を読み出して取得する（ステップ３４０）。
【００７７】
続いて充電管理制御部５３は、取得した充電状況の情報を、通信部５１を用いて、閲覧要求の送信元である携帯端末６に送信する。携帯端末６では、携帯制御部６４が、通信部６１を介してこの充電状況の情報を受信し、受信した充電状況の情報を表示部６２に画像および音声の一方または両方で表示させる（ステップ３６０）。このようにすることで、ユーザは、携帯端末６にチケット８を読み取らせるだけで、遠隔地から車両９の充電状況を確認することができる。
【００７８】
［充電完了時の作動］
その後、充電が終了すると、ユーザが充電器４ａおよび車両９のある場所に戻り、車両９から充電ガン４２を取り外して充電器４ａに戻す（図７のステップ４１０）。すると、充電ガン４２が収納されたことを充電器４ａの収納センサ４４が検出し、その検出信号が読取制御部３４に出力される。
【００７９】
すると読取制御部３４は、ロック機構４３を作動させて充電ガン４２を再びロックする（ステップ４２０）。これにより充電ガン４２は取り出し不可能になる。
【００８０】
続いて読取制御部３４は、充電ガン４２をロックしたのと同じタイミングで、通信部３３を用いて、充電器識別コード８６の使用終了通知を、認証・配布サーバ２と充電管理サーバ５に送信する（ステップ４３０）。この使用終了通知には、充電器識別コード８６が含まれる。
【００８１】
また読取制御部３４は、その直後、メモリ３２に記憶されていた充電器識別コード８６を消去する（ステップ４４０）。これにより、読取端末３ａ内に充電器識別コード８６の情報は存在しなくなる。
【００８２】
充電管理サーバ５では、充電管理制御部５３が、通信部５１を介してこの使用終了通知を受信し、受信した使用終了通知に含まれる充電器識別コード８６に関連付けられた充電状況の情報を充電管理ＤＢ５２から削除する（ステップ４５０）。
【００８３】
また、認証・配布サーバ２では、認証・配布制御部２３が、通信部２１を介してこの使用終了通知を受信し、認証ＤＢ２２の識別コードリストにおいて、受信した使用終了通知に含まれる充電器識別コード８６の使用状態を「不使用」に戻す（ステップ４６０）。
【００８４】
これにより、当該充電器識別コード８６が開放されて再利用可能な状態になる。すなわち、新たに発券端末１から発券情報要求があった場合は、同じ充電器識別コード８６を発券端末１に送信する場合がある。このように充電器識別コードを再利用することで、認証・配布サーバ２であらかじめ用意する充電器識別コードの数を節約して、例えば、認証・配布サーバ２読取端末の総数よりも少ない数（例えば、当該読取端末の総数の半分以下）に減らすことができ、ひいては、認証・配布サーバ２のメモリ容量を低減することができる。
【００８５】
以上のように、発券端末１は、充電器識別コード８６が表されたチケット８を発行し、読取端末３ａは、チケット８から充電器識別コード８６を読み取り、読み取った充電器識別コード８６と充電器４ａによる充電状況の情報を充電管理サーバ５に送信する。そして、携帯端末６がチケット８に表された充電器識別コード８６を充電管理サーバ５に送信すると、充電管理サーバ５は、当該充電器識別コード８６に対応付けられた充電状況の情報を携帯端末６に送信する。
【００８６】
このようにすれば、ユーザが複数の充電器４ａ〜４ｄのうちどの充電器を使用しても、発券端末１が発行した充電器識別コード８６を携帯端末１に読み取らせれば、携帯端末６がその充電器識別コード８６を含む閲覧要求を充電管理サーバ５に送信することで当該充電器の充電状況を取得できる。したがって、充電器毎に別々のサーバのアドレスをプリントして貼り付ける必要なく、また、いちいち充電器に固有のＩＤがあっても無くても、それをユーザに知らせる必要なく、充電器から離れた場所でユーザが充電状況を知ることができる。
【００８７】
なお、本実施形態では、読取制御部３４が、ステップ２１０を実行することで読取手段２１０の一例として機能し、ステップ２５５を実行することで送信手段の一例として機能する。
【００８８】
（他の実施形態）
なお、本発明は上記した実施形態に限定されるものではなく、特許請求の範囲に記載した範囲内において適宜変更が可能である。また、また、上記実施形態において、実施形態を構成する要素は、特に必須であると明示した場合および原理的に明らかに必須であると考えられる場合等を除き、必ずしも必須のものではないことは言うまでもない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の形状、位置関係等に言及するときは、特に明示した場合および原理的に特定の形状、位置関係等に限定される場合等を除き、その形状、位置関係等に限定されるものではない。また、本発明は、上記実施形態に対する以下のような変形例も許容される。なお、以下の変形例は、それぞれ独立に、上記実施形態に適用および不適用を選択できる。すなわち、以下の変形例のうち任意の組み合わせを、上記実施形態に適用することができる。
【００８９】
（変形例１）
上記実施形態では、充電管理サーバ５は１台の装置として説明しているが、充電管理サーバ５は、複数の装置（メールサーバ、Ｗｅｂサーバ、受信装置）の複合体であってもよい。認証・配布サーバ２についても同様である。
【００９０】
（変形例２）
上記実施形態では、読取端末３ａの読取制御部３４は、繰り返し行うステップ２５５において毎回、充電器識別コード８６と充電状況を送信しているが、かならずしもそのようになっておらずともよい。
【００９１】
例えば、以下のようになっていてもよい。まず、ステップ２５０からステップ２５５に進んだ時点（１回目）では、充電器識別コード８６と充電状況と広域通信ネットワーク７上の自機のアドレス（例えば、ＩＰアドレス）を送信する。しかし、それより後の２回目以降のステップ２５５では、充電器識別コード８６を送信せず、充電器識別コード８６と当該自機のアドレスのみを送信する。
【００９２】
この場合でも、充電管理サーバ５では、充電器識別コード８６と読取端末３ａのアドレスの対応関係を記録してれば、２回目以降も毎回、受信したアドレスから、受信した充電状況に対応する読取端末３ａの充電器識別コード８６を特定することができる。
【００９３】
（変形例３）
上記実施形態では、発券端末１は店舗に設置されていたが、自動販売機のように、発券端末１にユーザが現金を投入すれば発券端末１が自動的にチケット８を発行するようになっていてもよい。
【００９４】
（変形例４）
上記実施形態では、チケット８は紙に２次元コード８１が印刷された形態となっている。しかし、チケット８は、必ずしもこのような形態を取らずともよい。例えば、チケット８は、２次元コード８１の画像データという形式を取ってもよい。この場合、発券端末１は、無線通信によって、ユーザの携帯端末６に２次元コード８１の画像データを送信する。この場合、図５のステップ２０５では、ユーザは、当該２次元コード８１の画像データを携帯端末６の画像表示装置に表示させた上で、当該画像表示装置に表示された２次元コード８１を読取端末３ａにかざす。また、図６のステップ３１０では、携帯制御部６４は、記憶している上記画像データを解析してアドレス８５と充電器識別コード８６をデコードする。
【００９５】
（変形例５）
上記実施形態では、携帯制御部６４は、充電管理サーバ５に充電器識別コード８６を充電管理サーバ５に送信することで、当該充電器識別コード８６に関連付けられた充電状況の情報を充電管理サーバ５から直接受信している。
【００９６】
しかし、必ずしもこのようになっていらずともよい。例えば、携帯制御部６４は、図６のステップ３３０で、充電管理サーバ５に対して、充電器識別コード８６と、ユーザのメールアドレスを、閲覧要求に含めて送信するようにしてもよい。そしてこの場合、充電管理制御部５３は、当該充電器識別コード８６に関連付けられた充電状況の情報を含む電子メールを、当該メールアドレス宛に定期的に送信するようになっていてもよい。この場合でも、携帯端末６で当該電子メールを受信するので、充電管理制御部５３は、充電状況の情報を携帯端末６に届くよう、電子メールを送信していることになる。
【００９７】
（変形例６）
上記実施形態において、ユーザが充電を中止したい場合がある。そのような場合、認証コード８４を用いた認証が成功した場合にのみ、充電の中断が許可されるようになっていてもよい。
【００９８】
具体的には、充電器４ａが車両９に充電しているとき、ユーザが読取端末３ａの充電中止ボタン（図示せず）を押すと共に、読取端末３ａの読取部３１にチケット８の２次元コード８１をかざす。すると、すると、読取部３１は、２次元コード８１を読みとり、読み取った２次元コード８１の画像情報を読取制御部３４に出力する。そして読取制御部３４は、当該２次元コード８１の画像情報から、パスワード８７を用いて認証コード８４をデコードする。
【００９９】
続いて読取制御部３４は、デコードして取得した認証コード８４を含む認証依頼を、通信部３３を用いて認証・配布サーバ２に送信する。認証・配布サーバ２では、認証・配布制御部２３が、通信部２１を介してこの認証依頼を受信し、受信したことに基づいて、当該認証依頼に含まれる認証コード８４に基づいた認証処理を行う。具体的には、当該認証コード８４が認証ＤＢ２２に含まれていれば、認証成功であると判定し、含まれていなければ、認証失敗であると判定する。
【０１００】
続いて認証・配布制御部２３は、上記認証処理の認証結果（認証成功か認証失敗か）の情報を、通信部２１を用いて、認証依頼の送信元である読取端末３ａに送信する。
【０１０１】
読取端末３ａでは、読取制御部３４が通信部３３を介してこの認証結果を受信し、当該認証結果に基づいて認証が成功したか否かを判定する。認証が失敗したと判定した場合は、図示しない通知装置（例えばスピーカ、画像表示装置）を用いて、充電中止が不可である旨をユーザに通知する。充電中止が不可である旨がユーザに通知された場合は、充電が終了しない。また、読取制御部３４は、認証が成功したと判定した場合は、続いて、充電ケーブル４１への電力供給を停止することで、充電を終了する。
【０１０２】
このように、認証コード８４による認証を用いて充電の中止の可否を判定することで、第３者によるいたずらで充電中止ボタンが押された場合に充電が中止されてしまう可能性を低減することができる。
【０１０３】
（変形例７）
また、上記実施形態では、認証コードはランダムに生成するようになっている。しかし、必ずしもこのようになっておらずともよく、例えば、充電器識別コードと同様に、あらかじめ複数個を認証ＤＢ２２に用意しておき、それらのうちのいずれか１つを使用してもよい。
【０１０４】
この場合、図３のステップ１５０では、認証ＤＢ２２に記録されている複数個の異なる認証コードのうちから、使用状態が不使用となっている認証コード８４を１つ選び出す。
【０１０５】
ここで、認証ＤＢ２２に記録されている複数個の異なる充電器識別コードは、充電器識別コードについて図４に示した識別コードリストと同様の認証コードリストに含まれている。認証コードリストには、複数個の異なる認証コードが、あらかじめ記録されている。また、認証コードリストには、それら複数個の異なる認証コードの各々についての使用状態（使用中か不使用か）が、記録されるようになっている。認証・配布サーバ２の使用開始時には、認証コードリスト中のすべての認証コードについて、使用状態は「不使用」になっている。
【０１０６】
認証・配布制御部２３は、ステップ１５０では、認証コードリスト中のすべての認証コードのうち、使用状態が「不使用」となっている認証コードを、１つ選び出す。続いて認証・配布制御部２３は、認証コードリストにおいて、選び出した認証コード８４の使用状態を「使用中」に変更する。
【０１０７】
またこの場合、読取制御部３４は、図５のステップ２４５で、充電器識別コード８６と共に認証コード８４もメモリ３２に記録し、消去しない。
【０１０８】
そして、読取制御部３４は、ステップ４３０において、認証コード８４および充電器識別コード８６の使用終了通知を、認証・配布サーバ２と充電管理サーバ５に送信する。この使用終了通知には、認証コード８４および充電器識別コード８６が含まれる。続いてステップ４４０では、メモリ３２に記憶されていた認証コード８４および充電器識別コード８６を消去する。これにより、読取端末３ａ内に認証コード８４および充電器識別コード８６の情報は存在しなくなる。
【０１０９】
また、認証・配布制御部２３は、ステップ４５０で、認証ＤＢ２２の認証コードリストおよび識別コードリストにおいて、受信した使用終了通知に含まれる認証コード８４おいよび充電器識別コード８６の使用状態を「不使用」に戻す（ステップ４５０）。
【０１１０】
これにより、当該認証コード８４が開放されて再利用可能な状態になる。すなわち、新たに発券端末１から発券情報要求があった場合は、同じ認証コード８４を発券端末１に送信する場合がある。このように認証コードを再利用することで、認証・配布サーバ２であらかじめ用意する認証コードの数を節約して、例えば、認証・配布サーバ２が管理する読取端末の総数よりも少ない数（例えば、当該読取端末の総数の半分以下）に減らすことができ、ひいては、認証・配布サーバ２のメモリ容量を低減することができる。
【０１１１】
（変形例８）
上記実施形態では、認証・配布サーバ２、充電管理サーバ５が管理する読取端末と充電器の組は４組のみであったが、これに限らず、充電管理サーバ５が管理する読取端末と充電器の組は１００組以上でもよいし、１０００組以上でもよい。
【符号の説明】
【０１１２】
１              発券端末
２              認証サーバ（第１サーバ）
３              読取端末
４              充電器
５              充電管理サーバ（第２サーバ）
６              携帯端末
８              チケット
８１            ２次元コード
ＩＤ            充電器識別コード
ＡＣ            認証コード
【図１】
0006375957.tif 000002
【図２】
0006375957.tif 000003
【図３】
0006375957.tif 000004
【図４】
0006375957.tif 000005
【図５】
0006375957.tif 000006
【図６】
0006375957.tif 000007
【図７】
0006375957.tif 000008